(57)【要約】【課題】金属製の固定ねじを介しての電気的な導通を確実に防止することができ、しかも、固定ねじの締め付けによる傷の発生を防止することができる絶縁部材および電波受信機器を提供すること。【解決手段】内部にアンテナ装置９が収容された金属製のケース本体３と、このケース本体３の裏面に取り付けられた金属製の裏蓋６と、この裏蓋６とケース本体３とを固定する金属製の複数の固定ねじ７と、この複数の固定ねじ７と裏蓋６との間に介在された複数の絶縁部材２０とを備え、金属製のケース本体３と金属製の裏蓋６とを複数の金属製の固定ねじ７により固定した際に、複数の絶縁部材２０の電気絶縁作用によって、両者が電気的に導通される事態を防止し、アンテナ装置９から発生した磁束が金属製の固定ねじ７を介して金属製のケース本体３と金属製の裏蓋６とを還流するのを抑制して、アンテナ装置９の受信感度の低下を確実に抑制するようにした。【選択図】図２
2011075408.tif 000002
【特許請求の範囲】
【請求項１】
内部にアンテナ装置が配置された筒状の第１の金属部材の雌ねじに、前記筒状の第１の金属部材の一端開口部を閉塞する第２の金属部材の孔を通した金属製の頭部付き固定ねじのねじ部を挿入して螺合させることによって該第１の金属部材と該第２の金属部材とを互いに固定する際に使用される絶縁部材であって、
前記ねじ部が挿入可能な貫通孔と、
前記孔内に嵌合されて設置される筒状部と、
前記筒状部のねじ部挿入口側に形成され、前記第１の金属部材と前記第２の金属部材とを互いに固定した際に裏面が該第２の金属部材の表面に当接されるとともに表面が前記頭部の裏面に当接される鍔部とを備え、
前記第１の金属部材と前記第２の金属部材とを前記固定ねじにより互いに固定した際に、第１の金属部材と前記第２の金属部材との間を電気的に絶縁可能に構成されていることを特徴とする絶縁部材。
【請求項２】
前記絶縁部材は、金属製の基体と、この金属製の基体のうち、前記第２の金属部材との接触部分に形成された絶縁コーティング層とを備えていることを特徴とする請求項１に記載の絶縁部材。
【請求項３】
請求項１または２に記載の絶縁部材を複数備え、更に、この複数の絶縁部材を連結し且つ前記第１の金属部材と前記第２の金属部材との間に配置され少なくとも全面が電気的絶縁性を有する連結部を備えることを特徴とする絶縁体。
【請求項４】
筒状の第１の金属部材と、
この筒状の第１の金属部材の一端開口部を閉塞する第２の金属部材と、
前記筒状の第１の金属部材内に配置され電波を受信するアンテナ装置と、
頭部およびねじ部を有し、該ねじ部が前記第２の金属部材の孔を通して前記第１の金属部材の雌ねじに螺合され該第１の金属部材と該第２の金属部材とを互いに固定する金属製の固定ねじと、
前記ねじ部が挿入可能な貫通孔、前記孔に嵌合されて設置される筒状部、および、前記筒状部のねじ部挿入口側に形成され、裏面が前記第２の金属部材の表面に当接されるとともに表面が前記頭部の裏面に当接される鍔部を有する絶縁部材とを備え、
前記筒状の第１の金属部材と前記第２の金属部材とを前記固定ねじにより固定した際に、前記絶縁部材により前記筒状の第１の金属部材と前記第２の金属部材との間を電気的に絶縁可能としたことを特徴とする電波受信機器。
【請求項５】
前記絶縁部材は、金属製の基体と、この金属製の基体のうち、前記第２の金属部材との接触部分に形成された絶縁コーティング層とを備えていることを特徴とする請求項４に記載の電波受信機器。
【請求項６】
前記絶縁部材は、複数の絶縁部材を備え、この複数の絶縁部材は、電気的絶縁性を有する連結部によって互いに連結されていることを特徴とする請求項４または５に記載の電波受信機器。
【請求項７】
前記絶縁部材は、複数の絶縁部材を備え、この複数の絶縁部材は、前記第１の金属部材と前記第２の金属部材との間を封止する封止部材を介して、互いに連結されていることを特徴とする請求項６に記載の電波受信機器。
【請求項８】
前記第１の金属部材と前記第２の金属部材との間に配置されて該第１の金属部材と該第２の金属部材との間を電気的に絶縁する別な絶縁部材をさらに備えていることを特徴とする請求項４に記載の電波受信機器。
【請求項９】
筒状の第１の金属部材と、
この筒状の第１の金属部材の一端開口部を閉塞する第２の金属部材と、
前記筒状の第１の金属部材内に配置され電波を受信するアンテナ装置と、
頭部およびねじ部を有し、該ねじ部が前記第２の金属部材の孔を通して前記第１の金属部材の雌ねじに螺合され該第１の金属部材と該第２の金属部材とを互いに固定する金属製の複数の固定ねじと、
前記ねじ部が挿入可能な貫通孔、前記孔に嵌合されて設置される筒状部、および、前記筒状部のねじ部挿入口側に形成され、裏面が前記第２の金属部材の表面に当接されるとともに表面が前記頭部の裏面に当接される鍔部を有する、互いに連結された複数の絶縁部材とを備え、
前記筒状の第１の金属部材と前記第２の金属部材とを前記複数の固定ねじにより固定した際に、前記複数の絶縁部材により前記筒状の第１の金属部材と前記第２の金属部材との間を電気的に絶縁可能としたことを特徴とする電波受信機器。
【請求項１０】
筒状の第１の金属部材と、
この筒状の第１の金属部材の一端開口部を閉塞する第２の金属部材と、
前記筒状の第１の金属部材内に配置され電波を受信するアンテナ装置と、
頭部およびねじ部を有し、該ねじ部が前記第２の金属部材の孔を通して前記第１の金属部材の雌ねじに螺合され該第１の金属部材と該第２の金属部材とを互いに固定する金属製の複数の固定ねじと、
前記ねじ部が挿入可能な貫通孔、前記孔に嵌合されて設置される筒状部、および、前記筒状部のねじ部挿入口側に形成され、裏面が前記第２の金属部材の表面に当接されるとともに表面が前記頭部の裏面に当接される鍔部を有する複数の絶縁部材と、
この複数の絶縁部材にそれぞれ連結された状態で、前記筒状の第１の金属部材と前記第２の金属部材との間を封止する封止部材とを備え、
前記筒状の第１の金属部材と前記第２の金属部材とを前記複数の固定ねじにより固定した際に、前記複数の絶縁部材により前記筒状の第１の金属部材と前記第２の金属部材との間を電気的に絶縁可能としたことを特徴とする電波受信機器。
【発明の詳細な説明】
【技術分野】
【０００１】
本発明は、絶縁部材、絶縁体および電波受信機器に関するものである。
【背景技術】
【０００２】
電波受信機器の１つとして、例えば、標準時刻電波を受信するアンテナ装置を備え、このアンテナ装置で受信した標準時刻電波に基づいて時刻を修正する電波腕時計が知られている。
このような電波腕時計では、ケース本体と裏蓋とが金属で形成されている場合、両者が電気的に導通していると、ケース本体と裏蓋とを還流する電流が増大し、アンテナ装置の受信感度が著しく低下してしまう。そこで、金属製のケース本体と金属製の裏蓋との間に、電気抵抗の大きい絶縁部材またはスペーサ部材を設け、この絶縁部材等によってケース本体と裏蓋とを還流する電流を抑制し、アンテナ装置の受信感度の低下を抑制する電波時計が開発されている（例えば、特許文献１）。
【０００３】
しかしながら、金属製のケース本体と金属製の裏蓋とを金属製の固定ねじで固定する際、ケース本体と裏蓋とが固定ねじを介して電気的に導通してしまうことから、ケース本体と裏蓋とを還流する電流の流れを確実に防止することができないという問題点があった。
【０００４】
そこで、近年、金属製のケース本体と金属製の裏蓋との間に、電気抵抗の大きい絶縁部材を設けるとともに、ケース本体と裏蓋とを固定するために、表面に絶縁性皮膜が形成された金属製の固定ねじを使用する電波腕時計が知られている（例えば、特許文献２）。
【先行技術文献】
【特許文献】
【０００５】
【特許文献１】特開２００６−１１２８６６号公報
【特許文献２】特開２００８−８２７２２号公報
【発明の概要】
【発明が解決しようとする課題】
【０００６】
しかしながら、上記特許文献２の場合、特許文献２固定ねじは締め付けの際にケース本体や裏蓋と擦れ合うため、絶縁性皮膜が破損する場合もある。この場合には、固定ねじの絶縁性皮膜の破損部を介してケース本体と裏蓋とが電気的に導通してしまう虞がある。また、固定ねじの頭部が裏蓋と擦れ合うことから、比較的高価な裏蓋に傷が付く虞がある。
【０００７】
本発明は、このような問題点に鑑みなされたもので、電波受信の際において、アンテナ装置から出た磁束が金属製の固定ねじを介して、第１の金属部材と第２の金属部材とに流れて、そこで渦電流を発生して磁気エネルギーを減衰させるような事態を確実に防止し、これにより第１の金属部材内に収容されているアンテナ装置の受信感度を高めることができ、しかも、固定ねじの締め付けによる傷の発生を防止することができる絶縁部材および絶縁体を提供することを目的としている。
また、そのような絶縁部材または絶縁体を備えた電波受信機器を提供することを目的としている。
【課題を解決するための手段】
【０００８】
請求項１の発明は、
内部にアンテナ装置が配置された筒状の第１の金属部材の雌ねじに、前記筒状の第１の金属部材の一端開口部を閉塞する第２の金属部材の孔を通した金属製の頭部付き固定ねじのねじ部を挿入して螺合させることによって該第１の金属部材と該第２の金属部材とを互いに固定する際に使用される絶縁部材であって、
前記ねじ部が挿入可能な貫通孔と、
前記孔内に嵌合されて設置される筒状部と、
前記筒状部のねじ部挿入口側に形成され、前記第１の金属部材と前記第２の金属部材とを互いに固定した際に裏面が該第２の金属部材の表面に当接されるとともに表面が前記頭部の裏面に当接される鍔部とを備え、
前記第１の金属部材と前記第２の金属部材とを前記固定ねじにより互いに固定した際に、第１の金属部材と前記第２の金属部材との間を電気的に絶縁可能に構成されていることを特徴とする絶縁部材である。
【０００９】
請求項２の発明は、請求項１に記載の絶縁部材において、前記絶縁部材は、金属製の基体と、この金属製の基体のうち、前記第２の金属部材との接触部分に形成された絶縁コーティング層とを備えていることを特徴とする。
【００１０】
請求項３の発明は、請求項１または２に記載の絶縁部材を複数備え、更に、この複数の絶縁部材を連結し且つ前記第１の金属部材と前記第２の金属部材との間に配置され少なくとも全面が電気的絶縁性を有する連結部を備えることを特徴とする絶縁体である。
【００１１】
請求項４の発明は、
筒状の第１の金属部材と、
この筒状の第１の金属部材の一端開口部を閉塞する第２の金属部材と、
前記筒状の第１の金属部材内に配置され電波を受信するアンテナ装置と、
頭部およびねじ部を有し、該ねじ部が前記第２の金属部材の孔を通して前記第１の金属部材の雌ねじに螺合され該第１の金属部材と該第２の金属部材とを互いに固定する金属製の固定ねじと、
前記ねじ部が挿入可能な貫通孔、前記孔に嵌合されて設置される筒状部、および、前記筒状部のねじ部挿入口側に形成され、裏面が前記第２の金属部材の表面に当接されるとともに表面が前記頭部の裏面に当接される鍔部を有する絶縁部材とを備え、
前記筒状の第１の金属部材と前記第２の金属部材とを前記固定ねじにより固定した際に、前記絶縁部材により前記筒状の第１の金属部材と前記第２の金属部材との間を電気的に絶縁可能としたことを特徴とする電波受信機器である。
【００１２】
請求項５の発明は、請求項４に記載の電波受信機器において、前記絶縁部材は、金属製の基体と、この金属製の基体のうち、前記第２の金属部材との接触部分に形成された絶縁コーティング層とを備えていることを特徴とする。
【００１３】
請求項６の発明は、請求項４または５に記載の電波受信機器において、前記絶縁部材は、複数の絶縁部材を備え、この複数の絶縁部材は、電気的絶縁性を有する連結部によって互いに連結されていることを特徴とする。
【００１４】
請求項７の発明は、請求項６に記載の電波受信機器において、前記絶縁部材は、複数の絶縁部材を備え、この複数の絶縁部材は、前記第１の金属部材と前記第２の金属部材との間を封止する封止部材を介して、互いに連結されていることを特徴とする。
【００１５】
請求項８の発明は、請求項４に記載の電波受信機器において、前記第１の金属部材と前記第２の金属部材との間に配置されて該第１の金属部材と該第２の金属部材との間を電気的に絶縁する別な絶縁部材をさらに備えていることを特徴とする。
【００１６】
請求項９の発明は、
筒状の第１の金属部材と、
この筒状の第１の金属部材の一端開口部を閉塞する第２の金属部材と、
前記筒状の第１の金属部材内に配置され電波を受信するアンテナ装置と、
頭部およびねじ部を有し、該ねじ部が前記第２の金属部材の孔を通して前記第１の金属部材の雌ねじに螺合され該第１の金属部材と該第２の金属部材とを互いに固定する金属製の複数の固定ねじと、
前記ねじ部が挿入可能な貫通孔、前記孔に嵌合されて設置される筒状部、および、前記筒状部のねじ部挿入口側に形成され、裏面が前記第２の金属部材の表面に当接されるとともに表面が前記頭部の裏面に当接される鍔部を有する、互いに連結された複数の絶縁部材とを備え、
前記筒状の第１の金属部材と前記第２の金属部材とを前記複数の固定ねじにより固定した際に、前記複数の絶縁部材により前記筒状の第１の金属部材と前記第２の金属部材との間を電気的に絶縁可能としたことを特徴とする電波受信機器である。
【００１７】
請求項１０の発明は、
筒状の第１の金属部材と、
この筒状の第１の金属部材の一端開口部を閉塞する第２の金属部材と、
前記筒状の第１の金属部材内に配置され電波を受信するアンテナ装置と、
頭部およびねじ部を有し、該ねじ部が前記第２の金属部材の孔を通して前記第１の金属部材の雌ねじに螺合され該第１の金属部材と該第２の金属部材とを互いに固定する金属製の複数の固定ねじと、
前記ねじ部が挿入可能な貫通孔、前記孔に嵌合されて設置される筒状部、および、前記筒状部のねじ部挿入口側に形成され、裏面が前記第２の金属部材の表面に当接されるとともに表面が前記頭部の裏面に当接される鍔部を有する複数の絶縁部材と、
この複数の絶縁部材にそれぞれ連結された状態で、前記筒状の第１の金属部材と前記第２の金属部材との間を封止する封止部材とを備え、
前記筒状の第１の金属部材と前記第２の金属部材とを前記複数の固定ねじにより固定した際に、前記複数の絶縁部材により前記筒状の第１の金属部材と前記第２の金属部材との間を電気的に絶縁可能としたことを特徴とする電波受信機器である。
【発明の効果】
【００１８】
本願発明によれば、筒状の第１の金属部材とこの筒状の第１の金属部材の一端開口部を閉塞する第２の金属部材とを金属製の固定ねじにより固定した際に、金属製の固定ねじと第２の金属部材との間が絶縁部材により電気的に絶縁されているので、金属製の固定ねじを介して第１の金属部材と第２の金属部材とが電気的に導通することを確実に防止することができ、このために、電波受信の際において、アンテナ装置から出た磁束が金属製の固定ねじを介して、第１の金属部材と第２の金属部材とに引き込まれて、そこで渦電流を発生して磁気エネルギーを減衰させるような事態を確実に防止することができる。その結果、第１の金属部材内に収容されているアンテナ装置の受信感度を高めることができる。
また、本願発明によれば、固定ねじの締め付けの際に固定ねじの頭部が第２の金属部材と擦れ合うことがないので、固定ねじの締め付けに起因する第２の金属部材の傷の発生を防止することができる。
また、本願発明によれば、筒状の第１の金属部材と第２の金属部材とを複数の固定ねじにより固定した際に、互いに連結された複数の絶縁部材により筒状の第１の金属部材と第２の金属部材との間を電気的に絶縁することができる。この結果、複数の絶縁部材がばらばらとならずにその管理と取り扱いが容易となる。
また、本願発明によれば、筒状の第１の金属部材と第２の金属部材とを複数の固定ねじにより固定した際に、複数の絶縁部材にそれぞれ連結された状態で、筒状の第１の金属部材と第２の金属部材との間を封止部材で封止することができる一方で、この封止部材で連結された複数の絶縁部材により筒状の第１の金属部材と第２の金属部材との間を電気的に絶縁することができる。この結果、複数の絶縁部材がばらばらとならずにその管理と取り扱いが容易となる。
【図面の簡単な説明】
【００１９】
【図１】本発明を電波腕時計に適用した第１の実施形態の腕時計ケースを示した底面図である。
【図２】図１の腕時計の要部を示した図であり、このうち（Ａ）は側面断面図、（Ｂ）はねじ部分周りの側面断面図である。
【図３】図１の腕時計のケース本体と裏蓋との固定構造を示す分解斜視図である。
【図４】図１の腕時計のケース本体と裏蓋との固定構造を示す断面図である。
【図５】本発明を電波腕時計に適用した第２の実施形態の要部を示す図であり、（Ａ）はケース本体と裏蓋との固定構造を示す分解斜視図、（Ｂ）はケース本体の底面図である。
【図６】図５の腕時計のケース本体の下面の一部を示す斜視図である。
【図７】図５の腕時計のケース本体と裏蓋との固定構造を示す断面図である。
【図８】本発明を電波腕時計に適用した第３の実施形態のケース本体と裏蓋との固定構造を示す分解斜視図である。
【図９】図８の腕時計のケース本体の下面の一部を示す斜視図である。
【図１０】図８の腕時計のケース本体と裏蓋との固定構造を示す断面図である。
【発明を実施するための形態】
【００２０】
［第１の実施形態］
以下、図面を参照して本発明を電波腕時計に適用した第１の実施形態について説明する。
図１はこの電波腕時計の腕時計ケースを示した底面図である。図２は図１の腕時計の要部を示した図であり、このうち（Ａ）は側面断面図、（Ｂ）はねじ部分周りの側面断面図である。
【００２１】
この電波腕時計は腕時計ケース１を備えている。腕時計ケース１は、上下に開口されて内部に時計モジュール２を収容する筒状のケース本体３と、この筒状のケース本体３の上部開口部を閉塞するために、パッキン４ａを介して装着された時計ガラス４と、同じく筒状のケース本体３の下部開口部を閉塞するために、封止部材である防水パッキン５を介して取り付けられた裏蓋６と、この裏蓋６とケース本体３とを互いに固定するための金属製の固定ねじ７と、ケース本体３と裏蓋６との間に介在されたスペーサ部材である第１の絶縁部材８と、固定ねじ７と裏蓋６との間に介在されたスペーサ部材である第２の絶縁部材２０とを備えている。
【００２２】
時計モジュール２は、時刻表示部やＬＳＩなどの時計機能に必要な各種の電子部品を備えている。この時計モジュール２は、標準時刻電波を受信するアンテナ装置９を備え、このアンテナ装置９で受信した標準時刻電波に基づいて時刻を修正するように構成されている。
時刻表示部は、時刻などの情報を電気光学的に表示する平面型の表示素子からなるが、これに代えて、指針を運針させて時刻を指示するアナログムーブメント、あるいは、このアナログムーブメントと表示素子との双方を備えていてもよい。
【００２３】
アンテナ装置９は、外部からの電波を受信するためのものであり、アモルファスやフェライトなどの比透磁率が高く、導電率が小さい磁性部材で形成された棒状のコアと、このコアの周囲に銅などの導線を巻き付けたコイルとを備えている。
【００２４】
ケース本体３は、ステンレスやチタンなどの強度の高い金属で形成されており、このケース本体３の上部外周面には、装飾用のベゼル１０が取り付けられている。また、このケース本体３の内部における時計ガラス４の下側には、見切り部材１１がケース本体３の内周面に沿って配置されている。
裏蓋６は、ケース本体３と同様、ステンレスやチタンなどの強度の高い金属でほぼ板状に形成されている。裏蓋６は固定ねじ７によってケース本体３に取り付けられている。  
ケース本体３と裏蓋６の各内面には、アンテナ装置９の近傍に位置する箇所に、磁性シート１５がそれぞれ設けられている。この磁性シート１５は、アンテナ装置９で発生した磁界によってケース本体３と裏蓋６とにそれぞれ渦電流が生じるのを抑制するためのものである。
【００２５】
防水パッキン５は例えばＯリングによって構成されている。この防水パッキン５は、合成ゴムや合成樹脂によって形成され、ケース本体３の下面と裏蓋６の上面との間に配置され、ケース本体３と裏蓋６に密着して時計内部への水の侵入を防止するよう構成されている。
この防水パッキン５の位置決めのために、例えばケース本体３の下面には溝３ａが時計モジュール２を囲むように全周に亘って設けられている。
【００２６】
固定ねじ７はステンレスなどの強度の高い金属で形成されている。固定ねじ７は頭部７ａとねじ部７ｂとを備えている。
この固定ねじ７によってケース本体３に裏蓋６を取り付けるため、ケース本体３の外周側下面には、図３に示すように、固定ねじ７のねじ部７ｂが螺合されるねじ穴１２が設けられているとともに、裏蓋６には、ねじ穴１２に対応して孔１３が設けられている。
【００２７】
第１の絶縁部材８は、図３に示すように、その中心に固定ねじ７のねじ部７ｂが挿入される孔８ａを有する円板である。この第１の絶縁性部材８は、合成ゴム、合成樹脂またはセラミックなどの絶縁性材料によって形成され、ケース本体３の下面と裏蓋６の上面との間に配置され、ケース本体３と裏蓋６との直接接触を回避させるように構成されている。
この第１の絶縁部材８をケース本体３の下面と裏蓋６の上面との間に配置するため、ケース本体３の外周側下面には、ねじ穴１２の開口側に、ねじ穴１２に連なる座ぐり部１２ａが設けられている。この座ぐり部１２ａは第１の絶縁部材８が着座可能な大きさとなっている。
【００２８】
第２の絶縁部材２０は、図３に示すように、固定ねじ７のねじ部７ｂが挿入される貫通孔２１ａを有する筒状部２１と、筒状部２１のねじ部挿入口側に形成され固定ねじ７の頭部７ａの裏面が当接される鍔部２２とを備える。鍔部２２は固定ねじ７の頭部７ａの外径よりも大きい外径を有する。この第２の絶縁部材２０は、合成ゴム、合成樹脂またはセラミックなどの絶縁性材料によって形成され、固定ねじ７と裏蓋６との間に配置され、固定ねじ７と裏蓋６との接触を回避させるように構成されている。この第２の絶縁部材２０は、固定ねじ７の締め付けによっても破損されない材料で形成することが好ましい。
この第２の絶縁部材２０を固定ねじ７と裏蓋６との間に配置するため、裏蓋６の孔１３は第２の絶縁部材２０の筒状部２１が嵌合可能な大きさに形成されている。また、裏蓋６には、鍔部２２は裏蓋６の下面から突出しないように、下面側に座ぐり１３ａが設けられている。この座ぐり１３ａは第２の絶縁部材２０の鍔部２２が着座可能な大きさとなっている。
【００２９】
続いて、ケース本体３への裏蓋６の取付け方法の一例について図３および図４を用いて説明する。
まず、裏蓋６のケース本体３への取付けにあたっては、防水パッキン５を溝３ａに嵌め込む。
次に、第１の絶縁部材８をケース本体３の座ぐり部１２ａに嵌め込むとともに、第２の絶縁部材２０の筒状部２１を裏蓋６の座ぐり１３ａ側から１３に挿入する。
次に、筒状部２１の貫通孔２１ａとケース本体３のねじ穴１２とを合致させるように裏蓋６とケース本体３との位置合わせを行う。
次に、防水パッキン５に裏蓋６を当接させ、その状態で固定ねじ７のねじ部７ａを第２の絶縁部材２０の貫通孔２１ａに挿入し、ねじ回し（ドライバ）によって、ねじ穴１２に形成された雌ねじに螺合させる。
これによって、ケース本体３への裏蓋６の取付けが完了する。この状態が図４に示されている。
なお、図３および図４では時計モジュール２等が省略されているが、実際には、時計モジュール２等が組み込まれた後に、裏蓋６の取付けが行われる。
【００３０】
ケース本体３への裏蓋６の取付けが完了した状態では、第１の絶縁性部材８は、ケース本体３と裏蓋６との所定の隙間を保持して両者の接触を回避する働きをする。したがって、ケース本体３および裏蓋６が金属で形成されていても、第１の絶縁部材８によって、ケース本体３と裏蓋６との接触による電気的な導通を防ぐことができる。
また、第２の絶縁部材２０は、固定ねじ７と裏蓋６との接触を回避する働きをする。したがって、固定ねじ７が金属で形成されていても、第２の絶縁部材２０の電気絶縁作用によって、金属製のケース本体３と金属製の裏蓋６との金属製の固定ねじ７を介しての電気的な導通を防ぐことができる。このために、金属製のケース本体３と金属製の裏蓋６とを還流する電流を第２の絶縁部材２０の電気絶縁作用によって確実に抑制し、これにより、電波受信の際において、アンテナ装置９から出た磁束が金属製の固定ねじ７を介して、第１の金属部材であるケース本体３と第２の金属部材である裏蓋６とに引き込まれて、そこで渦電流を発生して磁気エネルギーを減衰させるような事態を確実に防止することができる。その結果、金属製のケース本体３内に収容されているアンテナ装置９の受信感度の低下を確実に抑制することができる。また、外部からの電波は、第２の絶縁部材２０の部分を通して、金属製の裏蓋６に形成された孔１３内に侵入し、金属製のケース本体３と金属製の裏蓋６との間の隙間を通り、金属製のケース本体３内に配置されたアンテナ装置９に伝播される。このために、金属製の固定ねじ７を介して、金属製のケース本体３および金属製の裏蓋６にてアンテナ装置９が周囲を取り囲まれていても、外部からの電波を確実に受信させることができる効果もある。   
【００３１】
［第２の実施形態］
図５から図７には本発明を電波腕時計に適用した第２の実施形態が示されている。
以下、この第２の実施形態に係る電波腕時計が第１の実施形態に係る電波腕時計と異なる点を中心に説明する。なお、この第２の実施形態に係る電波腕時計で第１の実施形態に係る電波腕時計と同じ構成要素については図面に同一符号を付し、その詳しい説明は省略するものとする。
【００３２】
この第２の実施形態に係る電波腕時計では、金属製の固定ねじ７と裏蓋６との電気的な絶縁を行うために、複数の第２の絶縁部材２０を連結部材３０によって連結した１つの絶縁体３１を使用している。この絶縁体３１の連結部材３０は、環状連結部３０ａと、第２の絶縁部材２０と環状連結部３０ａとを繋ぐための直線状連結部３０ｂとを備えている。この連結部材３０は、製造上からは、第２の絶縁部材２０と同じ材料で形成されていることが好ましい。
この第２の実施形態に係る電波腕時計によれば、複数の第２の絶縁部材２０を連結する連結部材３０はケース本体３と裏蓋６との間に配置されていることから、第２の絶縁部材２０を裏蓋６の上面側から孔１３に挿入し、鍔部２２を座ぐり部１３ａに着座させることが必要となる。このことから、この第２の実施形態に係る電波腕時計では、第２の絶縁部材２０は弾性変形可能な材料で形成することが必要となる。
【００３３】
また、第２の実施形態に係る電波腕時計では、連結部材３０の環状連結部３０ａを設置するための環状溝３ｂと、連結部材３０の直線状連結部３０ｂを設置するための直線状溝３ｃとがケース本体３に形成されている。このうち、環状溝３ｂは、防水パッキン５を設置するための溝３ａの外側に該溝３ａと同心的に形成されている。また、直線状溝３ｃは、環状溝３ｂと座ぐり部１２ａとを繋ぐように形成されている。なお、環状溝３ｂおよび直線状溝３ｃは裏蓋６に形成されていてもよい。
【００３４】
また、第２の実施形態に係る電波腕時計では、連結部材３０が直線状連結部３０ｂを備えていること、直線状溝３ｃがケース本体３に形成されていることの２点から、第１の絶縁部材８を設置するにあたっては、第１の絶縁部材８と直線状連結部３０ｂとが重畳されないように配慮する必要がある。このことから、第２の実施形態に係る電波腕時計では、第１の絶縁部材８の形状を弧状として、第１の絶縁部材８と直線状連結部３０ｂとが重畳されないようにしている。
【００３５】
続いて、ケース本体３への裏蓋６の取付け方法の一例について図５から図７を用いて説明する。
まず、裏蓋６のケース本体３への取付けにあたっては、防水パッキン５を溝３ａに嵌め込む。
次に、第１の絶縁部材８をケース本体３の座ぐり１２ａに嵌め込む。また、絶縁体３０の第２の絶縁部材２０を第１の絶縁部材８に嵌め込むとともに、絶縁体３０の環状連結部３０ａおよび直線状連結部３０ｂをケース本体３の環状溝３ｂおよび直線状溝３ｃに嵌め込む。この状態が図５（Ｂ）および図６に示されている。
次に、裏蓋６をケース本体３と当接させ、ピンセットを使用して、第２の絶縁部材２０を座ぐり１３ａ側から引き出して、鍔部２２を座ぐり１３ａに着座させる。その状態で固定ねじ７のねじ部７ａを第２の絶縁部材２０の貫通孔２１ａに挿入し、ねじ回し（ドライバ）によって、ねじ穴１２に形成された雌ねじに螺合させる。
これによって、ケース本体３への裏蓋６の取付けが完了する。この状態が図７に示されている。
なお、図５（Ａ）、図６では時計モジュール２等が省略されているが、実際には、時計モジュール２等が組み込まれた後に、裏蓋６の取付けが行われる。
【００３６】
ケース本体３への裏蓋６の取付けが完了した状態では、第１の絶縁性部材８は、ケース本体３と裏蓋６との所定の隙間を保持して両者の接触を回避する働きをする。したがって、ケース本体３および裏蓋６が金属で形成されていても、第１の絶縁部材８によって、ケース本体３と裏蓋６との接触による電気的な導通を防ぐことができる。
また、第２の絶縁部材２０は、固定ねじ７と裏蓋６との接触を回避する働きをする。したがって、固定ねじ７が金属で形成されていても、第２の絶縁部材２０によって、ケース本体３と裏蓋６との固定ねじ７を介しての電気的な導通を防ぐことができる。
その結果、金属製のケース本体３と金属製の裏蓋６とを還流する電流を確実に抑制し、アンテナの受信感度の低下を確実に抑制することができる。
また、複数の第２の絶縁部材２０は連結部材３０によって連結されているので、第２の絶縁部材２０の管理が容易となる。
【００３７】
［第３の実施形態］
図８から図１０には本発明を電波腕時計に適用した第３の実施形態が示されている。
以下、この第３の実施形態に係る電波腕時計が第２の実施形態に係る電波腕時計と異なる点を中心に説明する。なお、この第３の実施形態に係る電波腕時計で第１および第２の実施形態に係る電波腕時計と同じ構成要素については図面に同一符号を付し、その詳しい説明は省略するものとする。
【００３８】
この第３の実施形態に係る電波腕時計では、金属製の固定ねじ７と裏蓋６との電気的な絶縁を行うために、複数の第２の絶縁部材２０を連結部材４０によって連結した１つの絶縁体４１を使用している。この絶縁体４１の連結部材４０は、環状連結部を構成する防水パッキン５と、第２の絶縁部材２０と防水パッキン５とを繋ぐための直線状連結部４０ａと、を備えている。
つまり、この第３の実施形態に係る電波腕時計では、防水パッキン５が環状連結部を兼ねている。防水パッキン５は封止目的で用いられることから弾性変形可能な材料で形成され、一方、第２の絶縁部材２０は固定ねじ７と擦れ合うためある程度の剛性が高い材料で形成されることが好ましい。そのため、それらを一体化するためには、２色成型の方法が使用される。
【００３９】
続いて、ケース本体３への裏蓋６の取付け方法の一例について図８から図１０を用いて説明する。
まず、第１の絶縁部材８をケース本体３の座ぐり１２ａに嵌め込むとともに、絶縁体４０の第２の絶縁部材２０を第１の絶縁部材８に嵌め込む。その際、絶縁体４０の防水パッキン５および直線状連結部４０ａをケース本体３の溝３ａおよび直線状溝３ｃに嵌め込む。この状態が図９に示されている。
次に、裏蓋６をケース本体３と当接させ、ピンセットを使用して、第２の絶縁部材２０を座ぐり１３ａ側から引き出して、鍔部２２を座ぐり１３ａに着座させる。その状態で固定ねじ７のねじ部７ａを第２の絶縁部材２０の貫通孔２１ａに挿入し、ねじ回し（ドライバ）によって、ねじ穴１２に形成された雌ねじに螺合させる。
これによって、ケース本体３への裏蓋６の取付けが完了する。この状態が図１０に示されている。
なお、図９、図１０では時計モジュール２等が省略されているが、実際には、時計モジュール２等が組み込まれた後に、裏蓋６の取付けが行われる。
【００４０】
ケース本体３への裏蓋６の取付けが完了した状態では、第１の絶縁性部材８は、ケース本体３と裏蓋６との所定の隙間を保持して両者の接触を回避する働きをする。したがって、ケース本体３および裏蓋６が金属で形成されていても、第１の絶縁部材８によって、ケース本体３と裏蓋６との接触による電気的な導通を防ぐことができる。
また、第２の絶縁部材２０は、固定ねじ７と裏蓋６との接触を回避する働きをする。したがって、固定ねじ７が金属で形成されていても、第２の絶縁部材２０によって、ケース本体３と裏蓋６との固定ねじ７を介しての電気的な導通を防ぐことができる。
その結果、電波受信の際にアンテナ装置９から生じた磁束が、第２の絶縁部材２０の電気絶縁作用によって、金属製のケース本体３と金属製の裏蓋６とを還流する事態を確実に抑制し、アンテナの受信感度の低下を確実に抑制することができる。
また、複数の第２の絶縁部材２０は連結部材４１によって連結されているので、裏蓋６とケース本体３との間に複数の第２の絶縁部材２０を配置し、その配置している状態で、複数の固定ねじ７のねじ部７ａを各第２の絶縁部材２０の貫通孔２１ａに挿入し、ねじ回し（ドライバ）によって、ねじ穴１２に形成された雌ねじに螺合させることができ、迅速かつ確実に、複数の第２の絶縁部材２０を介して複数の固定ねじ７を裏蓋６とケース本体３とに固定することができるばかりでなく、複数の第２の絶縁部材２０がばらばらとならずにその管理と取り扱いが容易となる。
【００４１】
［変形例］
上記実施形態では、第２の絶縁部材２０の全体が絶縁性材料で形成される場合を述べたが、第２の絶縁部材２０の基体が金属で形成され、その表面に絶縁性皮膜（コーティング層）が形成されているものであってもよい。この絶縁性皮膜は固定ねじ７または裏蓋６との接触箇所の少なくとも一方に形成されていればよい。この場合の絶縁性皮膜は、窒化珪素（Si3N4）、酸化アルミニウム（Al2O3）、ダイヤモンドライクカーボン（ＤＬＣ：イオンを利用した気相合成法により合成されたダイヤモンドに類似した高硬度・電気絶縁性・赤外線透過性などの性質をもつカーボン薄膜の総称である）などの非導電性のセラミックをイオンプレーティングによって固定ねじ７の表面に成膜した絶縁性の高い皮膜である。また、固定ねじ７の全表面にアルマイト処理（陽極酸化処理）によって絶縁性皮膜を形成しても良い。
この変形例によれば、絶縁性皮膜の存在によって、ケース本体３と裏蓋６とが固定ねじ７を介して電気的に導通することが回避されることになる。
【００４２】
また、上記実施形態では、箇所第１の絶縁部材８と第２の絶縁部材２０とを別体としているが、第１の絶縁部材８と第２の絶縁部材２０とを一体化してもよい。
【符号の説明】
【００４３】
１  腕時計ケース
３  ケース本体
５  防水パッキン
６  裏蓋
７  固定ねじ
７ａ  頭部
７ｂ  ねじ部
８  第１の絶縁部材
９  アンテナ装置
１２  ねじ穴
１３  孔
２０  第２の絶縁部材
２１  筒状部
２１ａ  貫通孔
２２  鍔部
３０  連結部材
３１  絶縁体
４０  連結部材
４１  絶縁体
【図１】
2011075408.tif 000003
【図２】
2011075408.tif 000004
【図３】
2011075408.tif 000005
【図４】
2011075408.tif 000006
【図５】
2011075408.tif 000007
【図６】
2011075408.tif 000008
【図７】
2011075408.tif 000009
【図８】
2011075408.tif 000010
【図９】
2011075408.tif 000011
【図１０】
2011075408.tif 000012